(57)【特許請求の範囲】
【請求項１】
エッチング処理システム内で基板のエッチング深度を測定する機器であって、
前記エッチング処理システムのメインフレームと結合した測定セルと、
前記測定セルの底部と結合しており、基板のエッチング深度を基板の裏側から測定するエッチング深度測定器具であって、前記測定セルの底部における開口部により、前記エッチング深度測定器具と前記基板の間を光ビームが通過することが可能であるエッチング深度測定器具と、
前記基板を前記測定セルへ移送するために前記メインフレーム内に配置した基板移送ロボットと、を備え、
前記基板移送ロボットは、前記基板を保持するためのロボットブレードを有し、
このロボットブレードは、前記測定セルにおける測定の間前記基板を保持しながら光ビームにより前記基板の裏側を照射することを可能にするための開口部を有する、機器。
【請求項２】
前記ロボットブレードの前記開口部が円形又は四角形である、請求項１に記載の機器。
【請求項３】
前記ロボットブレードが、前記エッチング深度測定器具のキャリブレーションに使用されるキャリブレーションパッドを備える、請求項１に記載の機器。
【請求項４】
前記ロボットブレードが、前記基板の表面を、前記エッチング深度測定器具から発光された光ビームに対して垂直に位置決めするための回転および傾斜機能を有する、請求項１に記載の機器。
【請求項５】
エッチング処理システム内で基板のエッチング深度を測定するための機器であって、
前記エッチング処理システムのメインフレームと結合し、該メインフレームと共に前記エッチング処理システムの真空側に位置する測定セルと、
前記測定セルの底部と結合したエッチング深度測定器具と、
前記基板を前記測定セルへ移送するための、前記メインフレーム内に配置された基板移送ロボットと、を備え、
前記測定セルの底部における開口部により、前記エッチング深度測定器具と前記基板の間を光ビームが通過することが可能であり、
前記基板移送ロボットは、前記基板を保持するためのロボットブレードを有し、
このロボットブレードは、
前記測定セルにおける測定の間前記基板を保持しながら光ビームにより前記基板の裏側を照射することを可能にするための開口部と、
基板の表面を前記エッチング深度測定器具から発光された測定光ビームに対して垂直にすることを可能にするための回転および傾斜機能と、を有する、機器。
【請求項６】
前記ロボットブレードの開口部が四角形である、請求項５に記載の機器。
【請求項７】
前記ロボットブレードが、前記エッチング深度測定器具のキャリブレーションに使用するキャリブレーションパッドを備える、請求項５に記載の機器。
【請求項８】
前記キャリブレーションパッドがベアシリコンを備える、請求項７に記載の機器。
【請求項９】
前記ロボットブレードが、前記基板の表面を、前記エッチング深度測定器具から発光された光ビームに対して垂直に位置決めするための回転および傾斜機能を有する、請求項５に記載の機器。
【請求項１０】
前記メインフレームと結合したエッチングリアクタを更に備え、前記基板移送ロボットが、前記エッチングリアクタと前記測定セルとの間で基板を移送するように構成されている、請求項５に記載の機器。
【請求項１１】
前記エッチング深度測定器具が、光学的に透明な層を有する基板を検査するように構成されている、請求項５に記載の機器。
【請求項１２】
交互位相シフトマスクを準備する方法であって、
ａ）基板をエッチング処理チャンバ内に配置するステップであって、前記基板が光学的に透明な材料で作られており、且つ、前記基板が、第１のパターン化された不透明な層と、第２のパターン化されたフォトレジスト層とを前記光学的に透明な材料の上に有するステップと、
ｂ）石英を第１のエッチング深度までエッチングするステップと、
ｃ）前記基板を、当該基板を保持するためのロボットブレードを有する基板移送ロボットにより、基板移送チャンバと結合した測定セルへ移送するステップと、
ｄ）前記測定セルの底部に結合したエッチング深度測定器具によって、前記基板の裏側からエッチング深度を測定し、次のエッチングのエッチング時間を決定するステップであって、当該エッチング深度は、前記測定セルにおける測定の間前記基板を保持しながら光ビームにより前記基板の裏側を照射することを可能にするための前記ロボットブレードの開口部を通過する光ビームを用いて測定されるステップと、
ｅ）前記基板をエッチング処理チャンバに戻すステップと、
ｆ）前記エッチング深度の測定によって決定されたエッチング時間だけエッチングするステップと、
ｇ）前記基板を前記測定セルへ移送するステップと、
ｈ）前記測定セルの底部に結合したエッチング深度測定器具によって、前記基板の裏側からエッチング深度を測定し、次のエッチングのエッチング時間を決定するステップと、
ｉ）目標のエッチング深度に達するまで“ｅ”から“ｈ”までを繰り返すステップと、を備える、方法。
【請求項１３】
前記エッチング深度測定が、前記基板の裏側から反射された光ビームを集光することによって実行される、請求項１２に記載の方法。
【請求項１４】
エッチング処理システム内で基板のエッチング深度を測定する機器であって、
前記エッチング処理システムのメインフレームと結合した測定セルと、
前記測定セルの底部と結合したエッチング深度測定器具と、
前記測定セルの頂部と結合したＣＤ測定器具と、
前記基板を前記測定セルへ移送するための、前記メインフレーム内に配置された基板移送ロボットと、を備え、
前記測定セルの底部における開口部により、前記エッチング深度測定器具と前記基板の間を光ビームが通過することが可能であり、
前記測定セルの頂部における開口部によって、光ビームが前記ＣＤ測定器具と前記基板の間を通過することが可能であり、
前記基板移送ロボットは、前記基板を保持するためのロボットブレードを有し、
このロボットブレードは、前記測定セルにおける測定の間前記基板を保持しながら光ビームにより前記基板の裏側を照射することを可能にするための開口部を有する、機器。
【発明の詳細な説明】
【発明の背景】
【０００１】
発明の分野
[0001]本発明は、集積回路の製造に有用なフォトマスクの製作に関する。
【０００２】
関連技術の背景
[0002]フォトリソグラフィ技術は、基板表面上に堆積させた光パターンとフォトレジスト材料を使用して、エッチング処理前に、基板表面上に精密なパターンを生み出す。従来のフォトリソグラフィ処理では、エッチングされた層の上にフォトレジストが付加され、この層にエッチングされる接触部、ビア、相互接続部のような特徴部が、所望の特徴形状に関連したフォトリソグラフィフォトマスクを通る光のパターンにフォトレジストを露出させることで画成される。フォトレジストの組成を変えるために、例えば紫外線（ＵＶ）光を発光する光源を使用してフォトレジストを露出することができる。一般に、露出したフォトレジスト材料を化学処理によって除去し、下にある基板材料を露出させる。次に、露出した、下にある基板材料がエッチングされ、基板表面に特徴部が形成される一方で、保有されたフォトレジスト材料は、露出していない、下にある基板材料のための保護コーティングとして残される。フォトマスクは、装置パターンを作成するために繰り返し使用されるため、フォトマスク製造の品質制御が非常に重要である。
【０００３】
[0003]フォトリソグラフィフォトマスク、またはレティクルは、ｓｕｂ０．１３μｍ技術に使用できる、バイナリ（または従来の）フォトマスクおよび位相シフトマスク（ＰＳＭ）を含む。典型的に、バイナリ（または従来の）マスクは、光学的に透明なシリコンベースの材料、例えば石英（すなわち二酸化ケイ素、ＳｉＯ２）で作られ、クロムのような金属の不透明な遮光層を基板の表面上に有する基板を含む。位相シフトは、位相シフトによる軽い画像の解像を向上させる。位相シフトマスクの原理は、Ｐｌｕｍｍｅｒ，  Ｄｅａｌ  ａｎｄ  Ｇｒｉｆｆｉｎ，  “Ｓｉｌｉｃｏｎ  ＶＬＳＩ  Ｔｅｃｈｎｏｌｏｇｙ  Ｆｕｎｄａｍｅｎｔａｌｓ，  Ｐｒａｃｔｉｃｅ  ａｎｄ  Ｍｏｄｅｌｉｎｇ”，２０００  Ｐｒｅｎｔｉｃｅ  Ｈａｌｌ，  Ｉｎｃ．、２３０〜２３４頁に説明されている。位相シフトマスクは、減衰した位相シフトまたは交互位相シフトマスクのいずれであってもよい。典型的に、減衰した位相シフトマスクは、ケイ化モリブデン（ＭｏＳｉ）またはケイ化モリブデン酸化窒素（ＭｏＳｉＯＮ）のような材料の半透明な層を頂部に有する、石英のような光学的に透明なシリコンベースの材料で作られる基板を含む。例えば２４８ｎｍ波長のフォトリソグラフィ光が、半透明な層で被覆されたパターン化されたマスク表面を照射する場合に、半透明な層の透過性（例えば２４８ｎｍ波長にて６％）と厚さが、半透明な層で被覆されていないパターン化されたマスク表面を介して照射されるフォトリソグラフィ光と比較して、例えば１８０°の位相シフトを作成する。交互位相シフトマスクは、典型的に、石英のような光学的に透明なシリコンベースの材料で作られる基板を含んでおり、これがある深度にまでエッチングされて、パターン化されたマスクを介してフォトリソグラフィ光が照射されるエッチングされていない透明基板と共に位相シフトを作成する。更に、石英と同様のパターンを設けたクロム層を有する。これ以外のタイプの位相シフトマスク、例えば、クロム層を除去したクロムレスマスクのリソグラフィ（ＣＰＬ）マスクもある。
【０００４】
[0004]フォトマスクにより、精密なパターン内で光がフォトマスクを通過し、基板表面上へと到達することが可能になる。フォトマスク基板上の金属層は、基板へ移送される特徴部に対応してパターン化される。フォトマスク上のパターンは、ウェーハ基板上にパターン化されるパターンサイズの１Ｘ、２Ｘ、または４Ｘであってもよい。典型的に、フォトリソグラフィステッパーが、フォトマスクの画像を４×にまで縮小し、ウェーハ表面を被覆しているフォトレジスト上にパターンを印刷する。従来のフォトマスクは、まず、例えば石英のような光学的に透明なシリコンベースの材料を備える基板上に形成されているマスクのタイプに応じて不透明または半透明のいずれかであってもよい１〜２枚の薄い金属層を堆積させ、基板上にフォトレジスト層を堆積させることにより、製作される。次に、フォトレジストに臨界寸法を画成するために、従来のレーザまたは電子ビームパターン器材を使用して、フォトマスクがパターン化される。その後、一般に不透明な頂部金属層がエッチングされることで、パターン化されたフォトレジストにより保護されていない金属材料が除去され、これにより、下にあるシリコンベースの材料が露出する。バイナリマスクの場合は、金属エッチングステップ後にフォトマスクが形成される。減衰および交互位相シフトマスクの場合、フォトマスクを形成するために、透明基板または半透明金属層への追加のフォトレジストパターニングとエッチングが必要となる。
【０００５】
[0005]装置パターンを作成するためにフォトマスクが繰り返し使用されるため、臨界寸法の正確性および引張分布、位相シフト角度および基板全体にわたるその均一性は、バイナリおよび位相シフトフォトマスクにとって重要な必要性である。交互位相シフトマスクの場合、石英のような透明材料の深度によって位相角度が影響を受ける。位相シフトの精密制御は非常に重要であるため、石英のような透明材料のエッチングは、マスクの位相シフトを制御限度内に確実に収めるために、複数のエッチング処理と複数のエッチング深度測定後に達成されることが多い。エッチングシステムと統合されていないシステム内でエッチング深度測定が実行された場合には、処理サイクル時間が非常に長くなり、このアプローチにより総欠陥数が増加する。
【０００６】
[0006]したがって、半導体フォトマスク処理システム内のフォトマスクのエッチング深度（または位相シフト角度）を測定するために統合計測器具の当分野における必要性が依然として残る。
【発明の概要】
【０００７】
[0007]本発明の実施形態は、半導体フォトマスク処理システムにおける交互位相シフトフォトマスクについてエッチング間のエッチング深度を測定する方法および機器に関する。一実施形態では、エッチング処理システム内で基板のエッチ深度を測定する機器は、エッチング処理システムのメインフレームと結合した測定セルと、測定セルの底部と結合したエッチング深度測定器具であって、測定セルの底部における開口部により、エッチング深度測定器具と基板の間を光ビームが通過することが可能になるエッチング深度測定器具を備える。
【０００８】
[0008]別の実施形態では、エッチング処理システム内で基板のエッチング深度を側定する装置は、エッチング処理システムのメインフレームと結合した測定セルと、測定セルの底部と結合したエッチング深度測定器具であって、測定セルの底部における開口部により、エッチング深度測定器具と基板の間を光ビームが通過することが可能になるエッチング深度測定器具と、基板を測定セルへ移送するための、メインフレーム内に配置された基板移送ロボットであって、基板を保持するためのロボットブレードを有し、このロボットブレードが、光ビームが基板上を照射することを可能にするための開口部を有する基板移送ロボットを備える。
【０００９】
[0009]別の実施形態では、交互位相シフトマスクを準備する方法は、ａ）基板をエッチング処理チャンバ内に配置するステップであって、基板が光学的に透明な材料で作られており、第１のパターン化された不透明な層と、第２のパターン化されたフォトレジスト層とを光学的に透明な材料の上に有するステップと、ｂ）石英を第１のエッチング深度までエッチングするステップと、ｃ）基板を、基板移送チャンバと結合した測定セルへ移送するステップと、ｄ）次のエッチングのエッチング時間を決定するために、測定セルの底部に結合したエッチング深度測定器具によって、基板裏側からエッチング深度を測定するステップと、ｅ）基板を配置しエッチング処理チャンバに戻すステップと、ｆ）エッチング深度測定によって決定されたエッチング時間だけエッチングするステップと、ｇ）基板を測定セルへ移送するステップと、ｈ）次のエッチングのエッチング時間を決定するために、測定セルの底部に結合したエッチング深度測定器具によって、基板裏側からエッチング深度を測定するステップと、ｉ）目標のエッチング深度に達するまで“ｅ”から“ｈ”までを繰り返すステップと、を備える。
【００１０】
[0010]別の実施形態では、エッチング処理システム内で基板のエッチング深度を測定する機器は、エッチング処理システムのメインフレームと結合した測定セルと、測定セルの底部と結合したエッチング深度測定器具であって、測定セルの底部における開口部により、エッチング深度測定器具と基板の間を光ビームが通過することが可能になるエッチング深度測定器具と、測定セルの頂部と結合したＣＤ測定器具であって、測定セルの頂部における開口部によって、光ビームがＣＤ測定器具と基板の間を通過することが可能になるＣＤ測定器具と、基板を測定セルへ移送するための、メインフレーム内に配置された基板移送ロボットであって、基板を保持するためのロボットブレードを有し、このロボットブレードが、光ビームが基板上を照射することを可能にするための開口部を有する基板移送ロボットと、を備える。
【００１１】
[0011]本発明の上記態様に到達し、詳細に理解できるようにするために、上記において簡略的に要約した本発明のより特定的な説明が、添付の図面に例示されているその実施形態を参照することで得られる。
【００１２】
[0012]しかしながら、添付の図面は、本発明の典型的な実施形態のみを例示するものであり、本発明はこれ以外の同等に効率的な実施形態を許容できるため、これをその範囲の限定と考慮すべきではないことに注意されたい。
【詳細な説明】
【００１３】
[0020]本明細書では、便宜性の理由から、主に交互の位相シフトマスクのエッチングを参照しながら本発明を説明する。本発明の概念は、異なるタイプのフォトマスクのエッチングに使用することができる。
【００１４】
[0021]図１Ａ〜図１Ｆは、交互位相シフトマスクを作成する例証的な処理の流れを例示する。基板１００が処理チャンバへ導入される。基板１００（またはレティクル）は、例えば光学品質石英、フッ化カルシウム、アルミナ、サファイア、または典型的に光学品質石英材料で作られたこれらの組み合わせのような、光学的に透明な材料１１０から成るベース材料を備える。図１Ａに示すように、クロムのような不透明（または遮光性）金属層１２０が光学的に透明な材料１１０上に堆積している。クロム層のような遮光材料層は、当分野において既知である従来の方法、例えば物理的気相堆積法（ＰＶＤ）技術または化学気相堆積法（ＣＶＤ）技術によって堆積させることができる。典型的に、遮光（または不透明）金属層１２０は、約５０〜約１５０ナノメートル（ｎｍ）の厚さにまで堆積されるが、しかしながら、層の深度は製造業者からの要求、および基板または金属層の材料の組成に基づいて変更することができる。
【００１５】
[0022]図１Ｂを参照すると、次に、基板１００が別の処理チャンバへと移送され、この処理チャンバにおいて、Ｄｕ  Ｐｏｎｔ  ｄｅ  Ｎｅｍｏｕｒｓ  Ｃｈｅｍｉｃａｌ  Ｃｏｍｐａｎｙによって製造された“ＲＩＳＴＯＮ”レジストのようなレジスト材料１３０の層が、不透明な金属層１２０に、約２００〜６００ｎｍの厚さにまで堆積される。次に、不透明金属層１２０に形成する第２の開口部１３５の寸法を画成するために使用される第１の開口部１２５を形成するために、従来のレーザまたは電子ビームパターニング器材を用いて、レジスト材料１３０にパターンエッチングする。
【００１６】
[0023]次に、基板１００が、カリフォルニア州サンタクララのアプライドマテリアルズ社によって製造された、図３で説明した（以降に説明する）Ｔｅｔｒａ  II(商標)フォトマスクエッチングシステム内のＴｅｔｒａ  II（商標）フォトマスクエッチングチャンバのようなエッチングシステムへ移送される。本発明の態様を、Ｔｅｔｒａ  II(商標)フォトマスクエッチングチャンバを含む、電気誘導的に結合したプラズマエッチングチャンバを参照しながら以降に説明する。しかしながら、これ以外にも、例えばそれぞれ設計の異なる静電容量的に結合した平行板チャンバ、磁気拡張したイオンエッチングチャンバ、電気誘導的に結合したプラズマエッチングチャンバのような処理チャンバを使用して本発明の処理を実行することも可能である。
【００１７】
[0024]遮光金属層１２０は、当分野において既知である金属エッチング技術を用いて、または図１Ｃに示すように、下にある透明材料１１０を露出するための第２の開口部１３５を形成するべく開発された新規の金属エッチング技術によってエッチングされる。
【００１８】
[0025]図１Ａ〜図１Ｃを参照すると、遮光材料層１２０のエッチングが完了すると、基板１００が処理チャンバへ移送され、通常、残りのレジスト材料１３０が基板１００から除去される。レジスト除去は、酸素プラズマ処理、またはこれ以外の当分野において既知であるレジスト除去技術によって達成することができる。
【００１９】
[0026]図１Ｄ〜図１Ｆを参照すると、透明材料１１０をエッチングすることで、基板１００が更に処理される。透明材料１１０のエッチングにおいて、レジスト材料１３０が除去され、第２のフォトレジスト１４０が付加され、パターン化されて、第２の開口部１３５下にある透明な材料１１０が露出する。レジスト材料が、約２００ｎｍ〜６００ｎｍの厚さの間にまで堆積されるが、この厚さは任意であってもよく、更に、フォトマスクを形成するべく透明材料１１０内にエッチングする特徴部の深度と同じ厚さであってもよい。次に、レジスト層１４０および金属層１２０に第３の開口部１４５を形成するべく、フォトレジスト１４０がエッチングされる。次に、透明材料３１０をプラズマエッチングするために、パターン化された基板１００が、図３（以降に説明する）で説明されたＴｅｔｒａ  II（商標）フォトマスクエッチングシステムのようなエッチングチャンバへ移送される。
【００２０】
[0027]透明材料１１０のエッチング深度１７５が位相シフト角度を決定するため、エッチング深度１７５の精密な制御が非常に重大となる。例えば、ＫｒＦエクシマーレーザリソグラフィのための交互の位相シフトマスクに１８０°の位相シフト角度を達成する場合、石英エッチング深度は約２４０Åである。過度のエッチングを防止するために、最初のエッチングは、目標のエッチング深度の５０％〜７５％といった、一部分のみをエッチングする。エッチングされた基板１００のエッチング深度１７５（または位相シフト角度）が統合計測器具にて測定される。基板１００は、目標のエッチング深度１７５に達するまで、追加のエッチングおよびエッチング深度測定を続けて受ける。統合計測器具においてエッチング深度測定を実行することにより、基板を同一の真空環境にないエリアへ移送する必要性が回避されるという利点を有する。基板を同一の真空環境にないエリアへ繰り返し移送することは、真空破壊により時間がかかってしまい、また、フォトマスクを作るにあたって非常に望ましくない粒子が生成される結果となる。
【００２１】
[0028]目標のエッチング深度１７５に達した後に、パターン化された基板表面１５５を形成するべく、第２のレジスト材料１４０が除去される。金属層１２０の除去後に、パターン化された基板表面１６５をもつ交互位相シフトマスクが形成される。エッチングチャンバ内におけるドライエッチングは、最終的なエッチング深度のある割合に達するべくエッチングするだけであり、最終的なステップは、ウェットエッチングは表面の粗さを低減し、フォトマスク基板上のマイクロトレンチングを減少させることができるウェットエッチングステップによって行うこともある。
【００２２】
[0029]クロムのような遮光層、石英のように光学的に透明な材料のための交互位相シフトフォトマスクエッチング処理はドライエッチング処理を含む。塩素含有ガス（例えばＣｌ２）またはフッ素含有ガス（例えばＳＦ６またはＣＦ４）のようなエッチングガス、酸素のような酸化ガス、ヘリウムのような不活性ガスのプラズマを使用して、基板上に形成された材料層、または基板自体にエッチングすることができる。この用途において遮光層にエッチングするために使用するエッチング化学の詳細が、２００３年４月１８日付けで提出された、同一出願人による米国特許明細書出願番号第１０／４１８、７９５号、タイトル“Ｐｒｏｃｅｓｓ  ｆｏｒ  Ｅｔｃｈｉｎｇ  Ｐｈｏｔｏｍａｓｋｓ”、２００２年９月４日付けで提出された、米国特許明細書出願番号第１０／２３５、２２３号、タイトル“Ｍｅｔｈｏｄｓ  Ａｎｄ  Ａｐｐａｒａｔｕｓ  Ｆｏｒ  Ｅｔｃｈｉｎｇ  Ｍｅｔａｌ  Ｌａｙｅｒｓ  ｏｎ  Ｓｕｂｓｔｒａｔｅｓ”に開示されている。基板のシリコンベースの材料へのエッチングは、同一出願人による、２００３年３月１８日付けで発行された米国特許番号第６、５３４、４１７号、タイトル“Ｍｅｔｈｏｄ  ａｎｄ  Ａｐｐａｒａｔｕｓ  Ｆｏｒ  Ｅｔｃｈｉｎｇ  Ｐｈｏｔｏｍａｓｋｓ”、２００２年５月２１日付けで発行された米国特許番号第６、３９１、７９０号、同一タイトルの“Ｍｅｔｈｏｄ  ａｎｄ  Ａｐｐａｒａｔｕｓ  Ｆｏｒ  Ｅｔｃｈｉｎｇ  Ｐｈｏｔｏｍａｓｋｓ”に説明されている。これら全ての明細書の開示は、本発明の態様と矛盾することのない範囲で、本明細書に参照として組み込まれている。
【００２３】
[0030]本発明で採用しているエッチング深度計測技術は高度処理制御（ＡＰＣ）イネーブラである。エッチング深度計測技術は、広い波長範囲にかけての基板の反射を検出する。検出された波長スペクトルが理論モデルに適合されることで、膜の特性が使用可能となる。この計測は、基板の複数の場所における透明性、エッチング深度、膜の厚さ、位相シフト角度を測定するために使用できる。エッチング深度（または位相シフト角度）測定器具の一例は、カリフォルニア州サンタクララにあるｎ＆ｋ  Ｔｅｃｈｎｏｌｏｇｙ，  Ｉｎｃ．製のｎ＆ｋ  Ａｎａｌｙｚｅｒ  １５１２ＲＴが挙げられる。
【００２４】
[0031]本発明の例証的な実施形態は、図２に示すように、測定器具２１０、例えばエッチング深度（または位相シフト角度）測定器具を備えた処理システム２００内のエッチング深度測定器具を使用して実現される。処理システム２００は更に、本明細書に開示している分析を電子的に実行するプロセッサ２２０と、プロセッサ２２０の分析結果を表示するためのモニタ２３０とを備える。プロセッサ２２０は、半導体メモリのようなメモリ装置２４０、また、処理情報の保存に従来使用されている「製造実行システム」（ＭＥＳ）として既知であるコンピュータソフトウェアで実現されるデータベースシステム２５０と通信していてもよい。プロセッサ２２０は更に、測定器具２１０、エッチャー２７０と通信することもできる。
【００２５】
[0032]図３に、エッチング深度（または位相シフト角度）を測定する機能を備えるｅｘ−ｓｉｔｕ計測器具と統合したエッチングシステムの一例を示す。このシステム、Ｔｅｔｒａ  II（商標）は、チャンバまたは「メインフレーム」３０１を備えるが、これらは、例えば、Ｔｅｔｒａ  II(商標)フォトマスクリアクタ（またはチャンバ）３０２、「ロードロック」とも呼ばれる１つ以上の移送チャンバ３０３といった複数の処理チャンバを取り付けるための、カリフォルニア州サンタクララのアプライドマテリアルズ社より販売されているＣｅｎｔｕｒａ（商標）処理システムであってもよい。本発明の一実施形態において、３つのエッチングリアクタ３０２および１つの計測機器３０６は、メインフレーム３０１に取り付けられている。メインフレーム３０１と計測器具３０６の間にこれらを流体連通させるための開口部（図示せず）が設けられているため、計測器具３０６をメインフレーム３０１と同一の真空下に配置することができる。例証的な一実施形態では、３つのエッチャー３０２を使用してエッチングを行う。メインフレーム３０１内に、処理リアクタ３０２、移送チャンバ３０３、統合計測器具３０６間でウェーハを移送するためのロボット３０４が設けられている。統合計測器具３０６は、エッチング深度（または位相シフト角度）を測定することができる。移送チャンバ３０３は、制御された環境を維持するための、「小型環境」としても知られる工場インターフェース３０５と接続している。本発明の一実施形態において、メインフレーム３０１に取り付けられている計測（または測定）器具３０６は、高速データ収集能力と分析能力を有する。工場インターフェース３０５の他端にはカセットホルダ３０８が接続している。内部３０５には、カセットホルダ（３０８）と「ロードロック」（３０３の間で基板を移送するためのロボット３０７が配置されている。
【００２６】
[0033]エッチング深度測定器具３０６は、エッチングチャンバ３０２からのエッチングされた基板の測定し、再度エッチングするべくエッチングチャンバ３０２へ送り戻すことを可能にするために、メインフレーム３０１に取り付けられている。エッチングおよび測定処理シーケンスは、目標のエッチング深度（または位相シフト角度）に達するまで、数回繰り返すことができる。透明材料１１０の目標のエッチング深度まで繰り返されるエッチングおよび測定の性質により、エッチング深度測定器具（または位相シフト角度測定器具）をメインフレーム３０１に取り付けることが望ましい。メインフレーム３０１と計測器具３０５は両方とも統合真空環境下にあるので、追加の基板移送と真空破壊のために時間がかかる、真空下にないエリアへの基板の移送の必要性を回避できる。真空下にある処理エリアと真空下にない処理エリアの間で基板を繰り返し移送することは、時間がかかるだけでなく、粒子を生成してしまう。
【００２７】
[0034]本発明の別の実施形態では、計測器具３０６は、複数の移送チャンバ３０３のうち１つの場所に配置される。複数の移送チャンバ３０３の１つの場所に計測器具３０６を配置することは、更に、真空下にないエリアへ基板を移送する必要性が回避されるという利点を有する。
【００２８】
[0035]基板は透明であるため、基板の裏面から反射された光を分析することにより、不透明膜３２０とフォトレジスト膜３４０を除去する必要なく、位相シフト角度（またはエッチ深度）を測定することができる。従来の位相シフト角度測定は基板前側より実行され、また、位相シフト角度測定の前に不透明膜３１２およびフォトレジスト膜３４０を除去する必要がある。追加の、膜を除去する処理ステップにより、フォトマスク準備にとって非常に望ましくない粒子または他の処理欠陥が生じ得る。これに加え、位相シフト角度（またはエッチ深度）が目標に達していないことがわかった場合には、不透明膜３２０とフォトレジスト膜３４０を再堆積し、再パターン化して、透明材料３１０の更なるエッチングを可能にする必要があるため、これにより、粒子および他の処理欠陥問題を悪化させることになりかねない。
【００２９】
[0036]図４は、基板４００の裏面の下に配置したエッチング深度測定器具（または位相シフト角度測定器具）４６０の概略図を示す。基板４００は、エッチング深度４５０と、更に不透明膜４１０およびフォトレジスト膜４２０を前側上に有する。基板４００の裏面上には、入射光ビーム４３０、４３０、４３２、反射された光ビーム４３０’、４３１’、４３２’が存在する。入射光ビームの光源は測定器具４６０からであってもよい。光源は広帯域光源であることが好ましい。入射光ビーム４３０の一部分、反射された光ビーム４３０’が、基板４００と環境４７０の間のインターフェースから反射される。反射された光ビーム４３１’が、環境４７０との基板エッチングインターフェース４５１間のインターフェースから反射される。反射された光ビーム４３２’は、不透明な層４１０と基板４００の間のインターフェースから反射される。エッチング深度測定器具は、基板裏側表面の範囲にかけて反射された光ビームを集光する。例えば光ビーム４３１’と４３２’の間の位相シフトを計算することで、例えば基板４００の前側上の膜、例えば不透明膜４１０、フォトレジスト膜４２０を除去することなく、透明基板のエッチング深度４５０と位相シフトを決定することができる。
【００３０】
[0037]本発明の一実施形態では、図３のメインフレーム３０１のロボット３０４の一部分であるロボットアーム５００は、基板ホルダ５０１を含むよう設計されている。図５Ａに示すように、基板ホルダ５０１は、基板裏側上の入射光ビームおよび反射された光ビームの通過を可能にするための開口部を有する。図５Ａは、基板ホルダ５０１を有するロボットブレード５１０を収容するロボットアーム５００の端部の概略図を示す。基板ホルダ５０１は、基板と比例するサイズのアパーチャ５０２を有する。一実施形態では、アパーチャ５０２は、６インチ（１５．２４ｃｍ）×６インチの基板について、約４インチ（１０．１６ｃｍ）×４インチである。基板の縁が基板ホルダによって支持されるようにするために、アパーチャ５０２のサイズは基板のサイズよりも小さい。一実施形態では、ロボットブレード５１０の厚さは約２／５インチ（１．０２ｃｍ）である。アパーチャ５０２のサイズは、基板上の広いエリアにかけて測定データを収集できるよう可能な限り大きくなくてはならない。
【００３１】
[0038]図５Ｂは、基板５２０が図３の計測器具３０６内に配置されている状態を示す。計測器具３０６は、測定セル５５０とエッチング深度測定器具４６０を備える。基板はロボットアーム５００から測定地点へと移動される。測定地点５６０の下には、エッチング深度測定器具４６０がある。エッチング深度測定器具４６０は、基板５２０の裏面へ光を発光する広帯域光源（図示せず）を備える。ロボットブレード５１０はロボットアーム５００に装着されており、基板５２０の表面を、測定器具４６０から発光された測定光ビームに対して垂直にすることを可能にするための回転および傾斜機能を有する。エッチング深度測定器具４６０は、基板裏側から反射された光を集光する。測定器具４６０によってエッチング深度を計算するために、反射された光から生成されたデータが分析される。本発明の一実施形態では、ロボットブレード５１０上に、例えば一片のベアシリコンのようなエッチング深度測定キャリブレーション装置を収容するキャリブレーションパッド５８０がある。一実施形態では、キャリブレーションパッドのサイズは、直径が約１／２インチ（１．２７ｃｍ）である。測定器具４６０をキャリブレートするために、キャリブレーションパッド５８０を測定地点５６０よりも上の位置に断続的に移動することができる。典型的に、ベアシリコン面上には天然酸化層が存在している。天然酸化層の存在は、いくつかの測定器具のキャリブレーションにとって重要である。ある実施形態では、測定地点５６０は、例えば直径約１インチ（２．５４ｃｍ）の円形の開口部である。
【００３２】
[0039]裏面エッチング深度測定の利点は、この測定では前側膜の除去が不要であることである。したがって、まず基板を部分的にエッチングし、次に、次のエッチング量を目標とするべく基板を測定することができる。次に、フォトレジスト層剥離を実行するために基板を別のシステムへ移動する必要がなく、基板が複数回再エッチングおよび再測定される。代替の位相シフトマスクを作る場合、位相シフト角度（またはエッチング深度）の精密な制御が非常に重大である。基板は透明であり、位相シフト角度を裏面から測定できるため、また、基板エッチングの微細調整では基板をエッチングモジュールから除去する必要がないため、処理時間を大幅に低減することができる
[0040]測定セル３０６の底部に取り付けたエッチング深度測定器具４６０に加えて、一実施形態において、開口部５９５を介して臨界寸法（ＣＤ）測定データを収集するために、測定セル３０６の頂部上にＣＤ測定器具５９が取り付けられている（図５Ｃに示すとおり）。基板エッチング手法を調整するために、収集したＣＤ測定データをエッチャーへと前方または後方供給することができる。ＣＤ測定の測定場所要求はエッチング深度測定のものよりも厳密であるため、メインフレーム３０１内のロボット３０４の一部分であるロボットアーム５００は、要求されるほど十分な精密な制御を有する必要はない。ＣＤ測定器具５９０は、ＣＤ測定器具内の測定装置（図示せず）が基板５２０よりも上の特定の測定場所へ移動することを可能にするための移動装置（図示せず）を含んでいてもよい。移動装置の移動は、その精密な移動を制御するために、コントローラーによって制御される。図５Ｃは、頂部ＣＤ測定器具５９０と底部エッチング深度測定器具４６０を備えた計測セル３０６の概略図を示す。
【００３３】
[0041]ＣＤ測定器具５９０は、ＯＣＤ（光学臨界寸法）計測技術を採用することができる。ＯＣＤ計測技術は高度処理制御（ＡＰＣ）イネーブラである。例えば、普通の入射分光器的ＯＣＤ計測システムは、インライン型の非破壊ＳＥＭでは不可能な詳細な線輪郭を提供する。フォトマスクの場合、ＯＣＤ計測は、反射モード（反射された光を利用する）または透過モード（透過する光を利用する）下で動作できる。ＯＣＤ技術の小型サイズおよび速度により、本発明の測定システムを、アプライドマテリアルズ社製のＴｅｒａ  II(商標)、またはＤＰＳ（登録商標）IIエッチングシステムのような処理器具内部に完全に統合することが可能になる。ＡＰＣソフトウェアと組み合わせた場合、これはウェーハ間閉鎖ループ制御に、完全なフォードフォワードソリューションを提供する。光学ＣＤ測定器具の一例には、カリフォルニア州ミルピタスにあるＮａｎｏｍｅｔｒｉｃｓ社製のＮａｎｏ  ＯＣＤ  ９０００、または米国特許第５、９６３、３２９号に開示されている光学イメージャが挙げられる。光学ＣＤ測定器具は、光波散乱計測法、反射率測定法、透過偏光解析法技術を利用できる。
【００３４】
[0042]本発明の好ましい態様について前述したが、本発明の他の、および更なる態様は、本発明の基本範囲から逸脱しない限度内で考案され、また、この範囲は特許請求の範囲によって決定される。
【図面の簡単な説明】
【００３５】
【図１Ａ】交互位相シフトフォトマスクを処理するためのエッチングシーケンスを示す断面図である。
【図１Ｂ】交互位相シフトフォトマスクを処理するためのエッチングシーケンスを示す断面図である。
【図１Ｃ】交互位相シフトフォトマスクを処理するためのエッチングシーケンスを示す断面図である。
【図１Ｄ】交互位相シフトフォトマスクを処理するためのエッチングシーケンスを示す断面図である。
【図１Ｅ】交互位相シフトフォトマスクを処理するためのエッチングシーケンスを示す断面図である。
【図１Ｆ】交互位相シフトフォトマスクを処理するためのエッチングシーケンスを示す断面図である。
【図２】統合エッチングシステムの主要構成要素のブロック図である。
【図３】統合エッチングシステムの一実施形態の図である。
【図４】基板と測定器具の間の、基板、測定器具、衝突および反射された光ビームを示す略線図である。
【図５Ａ】ロボットブレードを装備したロボットアームの端部の概略図を示す。
【図５Ｂ】測定セルおよびエッチング深度計測器具の概略図を示す。
【図５Ｃ】エッチング深度測定器具とＣＤ測定機器の測定セルの概略図を示す。
【符号の説明】
【００３６】
１００…基板、１１０…光学的に透明な材料、１２０…不透明な金属層、１２５…第１の開口部、１３０…レジスト材料、１３５…第２の開口部、１４０…フォトレジスト、１４５…第３の開口部、１５５…パターン化された基板表面、１６５…パターン化された基板表面、１７５…エッチング深度、２００…処理システム、２１０…測定器具、２２０…プロセッサ、２３０…モニタ、２４０…メモリ装置、２５０…データベースシステム、２７０…エッチャー、３０１…メインフレーム、３０２…処理リアクタ、３０３…移送チャンバ、３０４…ロボット、３０５…工場インターフェース、３０６…統合計測器具、３０７…ロボット、３０８…カセットホルダ、４００…基板、４１０…半透明膜、４２０…フォトレジスト膜、４３０…光ビーム、４３１…反射された光ビーム、４３２…反射された光ビーム、４５０…エッチング深度、４５１…基板エッチングインターフェース、４６０…測定器具、４７０…環境、５００…ロボットアーム、５０１…基板ホルダ、５０２…アパーチャ、５１０…ロボットブレード、５２０…基板、５５０…測定セル、５６０…測定地点、５８０…キャリブレーションパッド、５９０…測定器具、５９５…開口部。
【図１Ａ】
0005392972.tif 000002
【図１Ｂ】
0005392972.tif 000003
【図１Ｃ】
0005392972.tif 000004
【図１Ｄ】
0005392972.tif 000005
【図１Ｅ】
0005392972.tif 000006
【図１Ｆ】
0005392972.tif 000007
【図２】
0005392972.tif 000008
【図３】
0005392972.tif 000009
【図４】
0005392972.tif 000010
【図５Ａ】
0005392972.tif 000011
【図５Ｂ】
0005392972.tif 000012
【図５Ｃ】
0005392972.tif 000013